(57)【要約】【目的】多湿時や乾燥時にも略一定の湿度に保持し、快適な使用感と細菌や黴の繁殖を抑制し、而も臭気や揮発性有機化合物を分解消臭及び分解消去し、安全で衛生的居住空間となしえる消臭調湿畳を提供する。【構成】藁材からなる畳床が藺草を織成してなる畳表により包被形成される畳において、畳表の裏側に伸縮性を有する不織布の外表面に平均粒径が５０μｍ以下で比表面積が８０ｍ２／ｇ以上及び塩基置換容量（ｍｅｑ／１００ｇ）が２００ｍｇ以上の人工ゼオライト粉体が、その保持する微細孔隙が閉塞されぬよう且その塗着量が少なくとも５０ｇ／ｍ２以上の塗着重量割合で、而も空隙率が５乃至６０％に保持されるよう塗着された消臭調湿布帛が畳表裏側に積層され包被された構造からなる消臭調湿畳。【選択図】　図４
0003096907.tif 000002
【実用新案登録請求の範囲】
【請求項１】
藁材からなる畳床が藺草からなる畳表により包被形成される畳において、畳表の裏側に伸縮性を有する不織布からなりその外表面に平均粒径が５０μｍ以下で比表面積が８０ｍ２／ｇ以上及び塩基置換容量（ｍｅｑ／１００ｇ）が２００ｍｇ以上の人工ゼオライト粉体が、その保持する微細孔隙が閉塞されぬよう且その塗着量が少なくとも５０ｇ／ｍ２以上の塗着重量割合で、而も空隙率が５乃至６０％に保持されるよう塗着された消臭調湿布帛が畳表裏側に積層され包被された構造からなる消臭調湿畳。
【請求項２】
藁材からなる畳床に、消臭調湿布帛が適宜数層に亘って積層挟持されてなる請求項１記載の消臭調湿畳。
【請求項３】
畳床が複数のインシュレーションボード若しくは合成樹脂発泡板材或いはこれらが交互に積層されて形成されてなり、この積層間に消臭調湿布帛が挟持されてなる請求項１記載の消臭調湿畳。
【考案の詳細な説明】
【０００１】
【産業上の利用分野】
本考案は消臭調湿畳に関するもので、更に詳しくは優れた消臭性と調湿性により畳自体の長期保存と安全で快適且衛生的居住環境を創出しえる消臭調湿畳に係るものである。
【０００２】
我が国は高温多湿な気候風土にあることから、かかる気候風土に適合した木造家屋と且畳や土壁、障子や襖等の内装材や建具等が古来より利用されてきており、現在においても地方や都市部郊外の戸建住居等には多用されている。
而しながら近年においては都市部への集中化が著しく進み、土地の有効利用のうえから都市部の住居は鉄筋コンクリートや鉄骨コンクリート構造による高層化住居が膨大数建設され、且この高層化住居に伴い建築金物類や建材等の軽量化が要請されたこととも相俟って、アルミサッシュやアルミ扉等の建築金物等に加えて天井床や壁材等にも新建材が多用されるに至ったため、該高層化住居内は極度に密閉性が高められる結果となっている。
【０００３】
更に郊外の戸建住居においても耐震性や耐火性若しくは防犯性に加え低コスト化が図れるプレハブ工法やプレカット工法の住居が積極的に採用されるに至り、且これら戸建住居にもアルミサッシュや新建材等が使用されたため、該戸建住居も極度に密閉性が高められた状況におかれている。
【０００４】
反面床材としての畳は、藁材を圧縮固化させてなる畳床と且この畳床を藺草で織成させた畳表で包被形成させてなるため、適度の緩衝性や柔軟性に加えて吸湿性を保持するため極めて使用感に優れる床材としては好適であるため、戸建住居にはもとより高層化住居にも多量に使用されている。
【０００５】
然るに高層化住居の如く鉄筋コンクリートや鉄骨コンクリートを躯体構造とする住居においては、コンクリート躯体の形成に際して多量の水分が使用されるために、形成後の躯体からの水分放出には極めて長期間を要するばかりか、該高層化住居内は著しく密閉性が高まっていることとも相俟って長期に亘って多湿状態に置かれ、而も高層化住居も躯体の形成とともに内装仕上げと且畳の敷込みもなされるためこれら多量の水分が該畳に吸水吸湿されることとなる。
【０００６】
更に戸建住居においても密閉性の高まりとともに建設される宅地の殆んどは十分な排水整備が施されてなく、これがため昼夜の温度差に伴い宅地地表面から多量の水蒸気が蒸散し床下材を介して畳に吸湿される結果となっている。
これがため折角吸湿性に優れる畳を使用しても湿気感やベト付感が畳表にまで拡散されて、特に高温多湿期には著しく不快となり且密閉性に伴う温暖化とも相俟って細菌や黴の繁殖が著しく増長されて、細菌臭や黴臭の発生ばかりか該細菌や黴の繁殖に伴い分泌される分泌物により畳や躯体の劣化や損傷も招来され、而もこれらを餌料としてダニ、シバンムシ等の衛生害虫が蝟集して吸血被害が惹起され、或いはこれらの死骸がアレルゲンとして小児喘息やアトピー性皮膚炎等の疾病を誘起させる原因ともなっている。
【０００７】
加えて畳表には生活における生活者の汗や体液、フケ、皮膚片等が落下付着し或いは食物残滓等も付着するため、これらが細菌や黴の恰好の餌料となるばかりか変性や分解が促進され悪臭の発生所謂生活臭気を発生するとともに、これら臭気が密閉性の高まりとも相俟って居住空間内に揮散滞留し、且内装材や畳或いは家具や調度品等に付着浸透して著しく不快な居住環境になされている。
而も密閉性の高まりにより、天井材や内装材等の新建材やその施工のための接着剤等から揮散される毒性の高い揮発性有機化合物、所謂シックハウス症候群原因物質が滞留し、これが吸湿性吸着性の優れる畳に多量に吸着されて著しく危険が増長される結果ともなっている。
【０００８】
考案者はかかる問題に鑑み研究を重ねた結果、人工ゼオライト粉体が多量のガス吸着性と湿気の吸湿性及び乾燥状態に伴う急速な放湿性所謂調湿性を保持すること、並びに揮発性有機化合物や臭気に対してもその保持する触媒作用と且強い塩基置換性とにより容易に分解消去及び分解消臭がなしえることを究明し、これにより所要の性能を保持する人工ゼオライト粉体をその吸着性や吸湿性を阻害させず且伸縮性を有する不織布に塗着させたうえ、畳表裏側に積層させ若しくは畳床に積層挟持させることにより問題を解決しえることを想到し本考案に至った。
【０００９】
【考案が解決しようとする課題】
本考案は多湿時や乾燥時にも略一定の湿度を保持して快適な使用感と細菌や黴の繁殖を抑制し、而も揮発性有機化合物や臭気を分解消去及び分解消臭して快適で安全且衛生的居住空間となしえる消臭調湿畳を提供することにある。
【００１０】
【課題を解決するための手段】
上述の課題を解決するために本考案が用いた技術的手段は、藁材からなる畳床が藺草を織成してなる畳表で包被形成される畳において、畳表や畳床に吸湿される湿気を積極的且効率的に吸湿させたうえ保湿し而も乾燥状態に伴って放湿させ、更には細菌や黴の繁殖により発生する臭気或いは居住空間で発生する生活臭気や揮発性有機化合物を、積極的且効率的に吸着させ且分解消臭並びに分解消去させるため、人工ゼオライト粉体にその平均粒径が５０μｍ以下の接触表面積率の極めて大きなものが用いられ、且大きな吸湿容量並びに吸着容量を保持させるうえから、その比表面積において少なくとも８０ｍ２／ｇ以上のものが使用される。
加えて細菌や黴の繁殖に伴う臭気や居住空間で発生する生活臭気や揮発性有機化合物等の有害ガスを、その保持する触媒作用と且強い塩基置換性とにより分解消臭並びに分解消去させるうえから、その塩基置換容量（ｍｅｑ／１００ｇ）において少なくとも２００ｍｇ以上の人工ゼオライト粉体が選択使用される。
【００１１】
そしてこの選択された人工ゼオライト粉体の優れた吸湿性や吸着性と分解消臭性や分解消去性を畳全体に亘って有効に発揮させるために、伸縮性を有する不織布を用い該人工ゼオライト粉体の吸湿性や吸着性が阻害されぬよう、且その絶対吸湿容量並びに絶対吸着容量を膨大容量に形成させるうえからその塗着重量が少なくとも５０ｇ／ｍ２以上で、而も湿気の吸湿や臭気或いは揮発性有機化合物の吸着にはこれらが混在する空気を人工ゼオライト粉体に接触通気させてやることが効果的であるため、該人工ゼオライト粉体の塗着に際しては空隙率が５乃至６０％に保持されるよう塗着させて消臭調湿布帛が形成される。
【００１２】
かくして形成された消臭調湿布帛を藁材からなる畳床を包被する藺草を織成してなる畳表の裏側に積層のうえ包被させてなる構造、若しくは藁材からなる畳床に該消臭調湿布帛を適宜数層に積層挟持させて畳床が形成されてなる構造、及び畳床が複数のインシュレーションボード若しくは合成樹脂発泡板材或いはこれらが交互に積層された積層間に、該消臭調湿布帛が挟持されてなる構造の消臭調湿畳に存する。
【００１３】
【作用】
本考案は以上の如き技術的手段を用いてなるため、次のような作用を有する。即ち人工ゼオライト粉体の優れた吸湿性並びに吸着性を畳全体に亘って発揮させるため、その平均粒径が５０μｍ以下の極めて接触表面積率が大きく且その比表面積が８０ｍ２／ｇ以上及び塩基置換容量（ｍｅｑ／１００ｇ）が２００ｍｇ以上の人工ゼオライト粉体が、伸縮性を保持する不織布にその吸湿性や吸着性が阻害されぬように、且塗着重量が５０ｇ／ｍ２以上で而も空隙率が５乃至６０％となるよう塗着されて消臭調湿布帛が形成されている。
【００１４】
そしてこの消臭調湿布帛を藁材からなる畳床に、藁材を織成させてなる畳表で包被形成される畳の畳表裏側に積層させたうえ包被させた構造、或いはこの藁材からなる畳床に該消臭調湿布帛を適宜数層に亘って積層挟持させた構造からなるため、床部に敷設使用されるに伴なってコンクリート躯体からの多量の吸湿や、戸建住居の床下地表面等からの多量の吸湿に際しても、積層され或いは積層挟持された消臭調湿布帛の吸湿接触表面積率が極めて大きく且吸湿容量も膨大量の人工ゼオライト粉体に、積極的且効率的に吸湿且保水されるため藁材自体への吸湿が著しく少なくなり而も乾燥に伴って順次吸湿されるため、湿度が略一定に保持されるとともに細菌や黴の繁殖が抑制され、且高温多湿時においても湿気感やムレ感の無い爽やかな使用感が保持される。
【００１５】
更に該消臭調湿布帛は、その空隙率が５乃至６０％に形成されてなるため十分に通気がなされるから、天然藁材の使用でも長期に亘って腐敗や劣化が防止されるばかりか、湿気を含む空気が人工ゼオライト粉体と容易に接触通気され吸湿される。
加えて該消臭調湿布帛に塗着されてなる人工ゼオライト粉体は、膨大量の吸着容量とともに触媒作用と且強い塩基置換性を保持するため、畳内部から発生する臭気は積極的且効率的に吸着されるとともに分解消臭され、而も居住空間で発生する生活臭気や揮発性有機化合物も畳表より積極的且効率的に吸着されるとともに分解消臭並びに分解消去されるばかりか、吸着飽和がなされぬため長期に亘って吸着性と分解消臭や分解消去機能が発揮される。
【００１６】
而も畳表に落下付着する汗や体液若しくは食物残滓等も、その裏側面には膨大な吸湿容量並びに吸着容量を保持し且分解消臭や分解消去機能を保持する消臭調湿布帛が積層されてなるため、細菌や黴の繁殖がなされず衛生害虫の蝟集も抑制される。加えて該消臭調湿布帛は伸縮性とともに柔軟なため、畳表裏側に積層させても包被が容易になしえ、而も藁材に適宜数層に積層挟持のうえ加圧成形させて畳床を形成する場合にも、その変形縮合に十分対処して積層挟持がなされる。
【００１７】
【実施例】
以下に本考案実施例を図とともに詳細に説明すれば、図１は人工ゼオライト粉体の拡大説明図、図２は消臭調湿布帛に用いる不織布の見取図、図３は消臭調湿布帛の拡大断面説明図であって、本考案に用いる人工ゼオライト粉体１は広大な居住空間の躯体から放湿される多量の湿気や居住空間内から発生する湿気や臭気或いは揮発性有機化合物等を吸湿並びに吸着せしめて、安全で快適且衛生的居住空間となす畳を提供するものであるから、これら湿気や臭気或いは揮発性有機化合物を積極的に吸湿吸着せしむるうえから、その吸湿接触表面積率が極めて大きなものが望まれるため、その平均粒径において５０μｍ以下望ましくは１０乃至３０μｍ程度のものが選択される。かかる場合に最低平均粒径が１０μｍに制約される所以は、該平均粒径が１０μｍ以下では塗着材の配合作業時に飛散が激しく作業性が著しく悪くなることによる。
【００１８】
更に人工ゼオライト粉体１は、その生成に際して通常水酸化ナトリウムからなるアルカリ剤を使用するためにナトリウムイオンを保持するものが一般的であるが、本考案の如く消臭を目的とする場合にはカルシウムや鉄イオンに置換させたものが望まれる。
そして該人工ゼオライト粉体１には多量の湿気を効率良く吸湿保水させ且乾燥状態に合せて放湿させる調湿性と、多量の臭気や揮発性有機化合物の効率良い吸着性を発揮させるうえからは吸湿及び吸着容量の大きなもの、所謂微細孔隙１Ａが多量に形成されてなるものが好適であることから、その比表面積においては少なくとも８０ｍ２／ｇ以上望ましくは１２０乃至１６０ｍ２／ｇ以上のものが使用される。
【００１９】
加えて人工ゼオライト粉体１が仮令吸着容量の大きなものでも使用経過とともに吸着量の増大により吸着飽和に至ると吸着性が喪失され、分解消臭や揮発性有機化合物の分解消去も不能となる。
而して人工ゼオライト粉体１は本来的に触媒作用を保持するものであり、且この触媒作用に強い塩基置換性が付加されることにより臭気に対する分解消臭と且揮発性有機化合物の分解消去がなされて吸着飽和が回避される。
これがため該人工ゼオライト粉体１にはその塩基置換容量（ｍｅｑ／１００ｇ）が少なくとも２００ｍｇ以上好ましくは２４０乃至２８０ｍｇの強い塩基置換性のものが選択される。
【００２０】
かくして吸湿性や吸着性に優れる人工ゼオライト粉体１の機能を畳全体に亘って発揮させるうえからは、畳を構成する畳表や畳床に簡便且自在に積層させ若しくは積層挟時させることが好都合であることから、該人工ゼオライト粉体１により消臭調湿布帛２を形成させる。
この消臭調湿布帛２は安価で簡便且自在に畳表や畳床に積層若しくは積層挟持させることが望まれるため、薄肉で伸縮性と柔軟住を保持する素材として不織布２Ａが好適なことから採用される。
【００２１】
この素材としての不織布２Ａは図２に示すように極めて多種多様な素材並びに製法によるものが上市されているが、本考案に用いる不織布２Ａとしては伸縮性や柔軟住と十分な空隙率を有し、且人工ゼオライト粉体１の塗着性をも具備するものであれば特段に制約はないが、使用素材としては廃棄住のうえからは綿や麻等の天然繊維素材が好適であるが、耐久使用性のうえからはポリアミド系やポリエステル系合成繊維素材が望ましい。
【００２２】
更に該不織布２Ａには伸縮性が要請されることから、望ましくは図３に示すようにフェルト製法やニードル製法による立体的に織成された不織布２Ａが好適であり、且該不織布２Ａに人工ゼオライト粉体１が塗着された場合にも、その空隙率が５乃至６０％程度に保持される必要上から原初の不織布２Ａの空隙率としては略３０乃至８０％程度のものが望まれる。
【００２３】
かくしてなる不織布２Ａには人工ゼオライト粉体１がその吸湿性や吸着性を阻害されぬよう且膨大な吸湿容量及び吸着容量を保持させるため、少なくとも５０ｇ／ｍ２以上望ましくは８０乃至１６０ｇ／ｍ２の塗着重量割合で塗着がなされる。
かかる場合に人工ゼオライト粉体１の吸湿性や吸着性を阻害させることなく塗着させる手段としては多様な手段が提案されるが、具体例を挙げればセルロース誘導体や澱粉、カゼイン等水溶性で且塗着固化時にも透湿性や透気性を保持する前処理材に予め人工ゼオライト粉体１を混合し、更に水溶性アクリル樹脂や合成ゴムラテックス、天然ゴムラテックス等からなる水溶性塗着材２Ｂを混合のうえ、不織布２Ａに少なくとも５０ｇ／ｍ２以上の塗着重量割合で塗着させる。そして所要の塗着重量割合で塗着させたるうえ加熱乾燥を施すことにより、人工ゼオライト粉体１に多量に吸水された水分が急速に蒸散することに伴い多量の蒸散孔を形成させることで消臭調湿布帛２が形成できる。
【００２４】
かかる如くして消臭調湿布帛２が形成されるものであるが、本考案は多湿時や乾燥時にも略一定の湿度を保持しで快適な使用感と細菌や黴の繁殖を抑制すること、及び揮発性有機化合物や臭気の分解消去並びに分解消臭をなし、安全で快適且衛生的居住空間となす畳の提供にある。
【００２５】
これがためには該消臭調湿布帛２を畳の内部に広範囲に配位させることであって、図４は畳表裏側に積層させ包被させた本考案３の断面説明図、かかる畳表３Ａの裏側に積層させる手段には特別なものはなく、畳表３Ａと略同形状に該消臭調湿布帛２を裁断のうえ、畳床３Ｂを畳表３Ａとともに包被させつつ側縁３Ｃを一体的に絡合させることにより積層使用がなされる。
【００２６】
畳表３Ａの裏側に消臭調湿布帛２を積層させる所以は、主として使用時における居住空間から発生する湿気や生活臭気並びに揮発性有機化合物、或いは畳表３Ａに落下付着する生活者の汗や体液或いは食物残滓等の変性、分解により招来される臭気の分解消臭や細菌及び黴の繁殖を抑制することにある。
【００２７】
他方畳はその使用時に建物躯体からの多量の吸湿や床下地表面からの多量の湿気が畳床３Ｂに吸湿されるため、該畳床３Ｂにも調湿機能や消臭機能を保持せしめる必要がある。
而しながら現状の畳床３Ｂは藁材３１Ｂを加圧成形させた藁床３２Ｂと、全体の軽量化を図るうえからインシュレーションボード３１Ｃ若しくは合成樹脂発泡板材３２Ｃを複数積層させたもの、或いはこれらを交互に積層させた建材畳床３１Ｄとが使用されている。
【００２８】
図５は本考案による藁床３０Ｂの断面説明図であって、一般的藁床３２Ｂは通常稲藁を縦横に略４乃至５層程度、厚さで略３５乃至４５ｃｍに積み重ねたうえ実質的に５乃至６ｃｍ程度の厚さまで加圧成形させて形成されるものである。
そこで該稲藁の積層される層間に消臭調湿布帛２を挟持させたうえ加圧成形させることにより、消臭調湿布帛２が伸縮性を保持するため稲藁の圧縮変形に対応して変形し積層挟持された藁床３０Ｂが形成されることとなる。
【００２９】
図６は本考案による建材畳床３０Ｃの断面説明図であって、従来の建材畳床３１Ｄはインシュレーションボード３１Ｃや合成樹脂発泡板３２Ｃが複数積層されてなるものであるから、該建材畳床３１Ｄのインシュレーションボード３１Ｃや合成樹脂発泡板材３２Ｃの積層間に、消臭調湿布帛２を挟持させるのみで形成がなされる。
【００３０】
かかる如くして形成された本考案藁床３０Ｂ或いは建材畳床３０Ｃを、畳表３Ａの裏側に消臭調湿布帛２を積層のうえ包被し、且その両側縁を適宜に縫合させることにより本考案消臭調湿畳３が形成されることとなる。
【００３１】
【考案の効果】
本考案は以上述べたように、藁材からなる畳床が藺草からなる畳表により包被形成されてなる畳の畳表の裏側に、若しくは藁材からなる畳床に適宜数層に或いは複数のインシュレーションボード若しくは合成樹脂発泡板材が積層され若しくはこれらが交互に積層された積層間に、伸縮性を有する不織布にその平均粒径が５０μｍ以下の接触表面積率が極めて大きく、且比表面積が少なくとも８０ｍ２／ｇ以上の吸湿容量や吸着容量が大きく、而も塩基置換容量（ｍｅｑ／１００ｇ）が２００ｍｇ以上の強い塩基置換性を有する人工ゼオライト粉体が、その吸湿性や吸着性を阻害されぬよう、且少なくとも５０ｇ／ｍ２以上の塗着重量割合で塗着され絶対吸湿容量及び絶対吸着容量も膨大量に形成された消臭調湿布帛が積層若しくは積層挟持されてなるため、敷設使用における躯体からの湿気や床下地表面からの湿気も畳床においては積層挟持された消臭調湿布帛の人工ゼオライト粉体に積極的効率的に且多量に吸湿されて保水され、而も乾燥状況に伴って放湿される調湿性が発揮されるため畳が略一定の湿度に保持され、細菌や黴の繁殖が著しく抑制されて衛生害虫の蝟集も無くなり、更には畳床の汚損や腐蝕も防止され而も畳表裏側に消臭調湿布帛が積層されることにより、高温多湿時にも蒸れ感やベト付感も無くなり快適な使用感に保持される。
【００３２】
加えて居住空間で発生する生活臭気や、内装材等から滲出揮散する揮発性有機化合物も畳表を通して消臭調湿布帛の人工ゼオライト粉体に積極的効率的に吸着されるとともに、その触媒作用と強い塩基置換性とにより短時に分解消臭及び分解消去がなされ、而も吸着飽和が無いため吸着性と分解消臭若しくは分解消去機能が長期に発揮される。
【００３３】
そして該消臭調湿布帛は伸縮性と柔軟住に優れるため畳表に積層のうえ畳床を包被し、或いは藁材内への積層挟持も容易になしえるとともに、空隙率が５乃至６０％に保持されてなるから、畳表が藺草や畳床が藁材等の天然素材による畳でも適度の通気がなされ長期に亘って素材の品質が維持され、更には畳表の近傍が常に一定の湿度に保持されるため畳表の乾燥に伴う変色も防止される等、極めて優れた特長を具備する消臭調湿畳である。
【図面の簡単な説明】
【図１】人工ゼオライト粉体の拡大説明図である。
【図２】不織布の見取図である。
【図３】消臭調湿布帛の拡大断面説明図である。
【図４】本考案の断面説明図である。
【図５】本考案による畳床の断面説明図である。
【図６】本考案による建材畳床の断面説明図である。
【符号の説明】
１　　人工ゼオライト粉体
１Ａ　微細孔隙
２　　消臭調湿布帛
２Ａ　不織布
２Ｂ　水溶性塗着材
３　　本考案
３Ａ　畳表
３Ｂ　畳床
３Ｃ　側縁
３０Ｂ　本考案による藁床
３０Ｃ　本考案による建材畳床
３１Ｂ　藁材
３２Ｂ　藁床
３１Ｃ　インシュレーションボード
３２Ｃ　合成樹脂発泡板材
３１Ｄ　建材畳床
【図１】
0003096907.tif 000003
【図２】
0003096907.tif 000004
【図３】
0003096907.tif 000005
【図４】
0003096907.tif 000006
【図５】
0003096907.tif 000007
【図６】
0003096907.tif 000008